(57)【要約】【課題】操作が簡単で、コーヒーを香りがよく、おいしく淹れることができるコーヒーメーカーを提供する。【解決手段】コーヒーメーカー９は、庇状部１１、上部支持台１２、および下部支持台１３を有する器体１を備える。庇状部１１内には、給水タンク３に接続された注水管２６を前後に移動させる可能な駆動手段２が設けられる。上部支持台１２は、ホルダ５１を有する回転手段５を備える。コーヒー粉を入れるドリッパー７をホルダ５１の上に設置し、回転手段５によりドリッパー７を回転させ、駆動手段２により注水管２６を前後に移動させることにより、給水タンク３の熱湯をドリッパー７の中心から外側に向けて渦巻き状に注ぐ。熱湯がコーヒー粉に均等に注がれ、下部支持台１３に設置された容器８に流れる。これにより、香りがよく、おいしいコーヒーを淹れることができる。【選択図】図５
0003169268.tif 000002
【実用新案登録請求の範囲】
【請求項１】
庇状部、上部支持台および下部支持台を有する器体と、
前記器体内部に設けられる給水タンクと、
前記給水タンクに連結される注水管と、
前記庇状部内に設けられ、前記注水管を前後に移動させることが可能な駆動手段と、
前記上部支持台に設けられ、ホルダを有する回転手段と、
を備え、
コーヒー粉が入れられたドリッパーを前記ホルダの上に載置し、前記回転手段によってドリッパーを回転されることで、前記注水管から熱湯をドリッパーの中心から外側に向けて渦巻き状に注ぐことが可能なことを特徴とするコーヒーメーカー。
【請求項２】
前記駆動手段は、ケース状を呈し軸方向に対して両側に長孔を有するベース、前記ベースの前側と後側とを貫通する駆動ねじ、前記駆動ねじの一端に接続されるモータ、および前記駆動ねじが貫通され、前記注水管を固定する位置決め片を備え、
前記位置決め片は、両側にロッドが設けられ、
前記ロッドは、前記ベースの前記長孔を貫通し、
前記モータの正逆回転により、前記駆動ねじは回転し、前記位置決め片は前後に移動し、前記注水管は前後に移動することを特徴とする請求項１記載のコーヒーメーカー。
【請求項３】
前記注水管は、軟質管により前記器体内の前記給水タンクに連結されていることを特徴とする請求項２記載のコーヒーメーカー。
【請求項４】
前記回転手段の前記ホルダは、円管状を呈し、底部縁に歯部を有し、一端が前記器体内部の前記モータに接続される伝動ベルトを有し、前記モータの回転により前記伝動ベルトを介して回転することを特徴とする請求項１記載のコーヒーメーカー。
【請求項５】
前記器体の前記上部支持台は、前記回転手段の前記ホルダに設置されるベアリングを有することを特徴とする請求項４記載のコーヒーメーカー。
【考案の詳細な説明】
【技術分野】
【０００１】
本考案は、コーヒーメーカーに関する。
【背景技術】
【０００２】
従来、コーヒーメーカーは、通常器体を備えており、器体は、ドリッパーを載置する上部支持台と、容器を置く下部支持台を具備する。使用時には、器体内の熱湯をドリッパー内のコーヒー粉に注入し、容器に流入し、コーヒーを淹れる。
【考案の概要】
【考案が解決しようとする課題】
【０００３】
しかしながら、従来のコーヒーメーカーは、ドリッパーに注入される熱湯の位置は固定されている。これにより、熱湯を十分に均等にコーヒー粉へ注ぐことができず、淹れたコーヒーの香りは十分ではなかった。人の手でドリッパーを適切に移動させるとすると手間がかかるばかりでなく、操作が困難であり、理想的ではない。
【０００４】
上記問題を解決するため、本考案は、操作が簡単で、コーヒーを香りがよく、おいしく淹れることができるコーヒーメーカーを提供することを目的とする。
【課題を解決するための手段】
【０００５】
本考案によるコーヒーメーカーは、庇状部、上部支持体、および下部支持体を具備する器体を有する。庇状部内には、給水タンクに接続された注水管を前後に移動させることが可能な駆動手段が設けられる。上部支持台は、ホルダを有する回転手段を備える。コーヒー粉を入れたドリッパーをホルダの上に設置し、回転手段によりドリッパーを回転させ、駆動手段により注水管を前後に移動させることにより、給水タンクの熱湯をドリッパーの中心から外側に向けて渦巻き状に注ぐ。これにより、熱湯がコーヒー粉に均等に注がれた後、下部支持台に設置された容器に流れ、香りがよく、おいしいコーヒーを淹れることができる。
【０００６】
駆動手段は、ケース状を呈し軸方向に対して両側に長孔を有するベース、ベースの前側と後側とを貫通する駆動ねじ、モータ、および位置決め片を有する。駆動ねじの一端はモータに接続されている。駆動ねじは、位置決め片を貫通する。位置決め片は、両側にロッドが設けられる。ロッドは、ベースの長孔を貫通する。注水管は位置決め片に固定される。モータが駆動ねじを正逆回転させることにより、位置決め片が前後に移動し、注水管が前後に移動する。
【０００７】
回転手段は、円管状を呈するホルダを有する。ホルダは、底部縁に歯部が設けられ、一端がモータに接続される伝動ベルトを有する。モータの回転により、ホルダは回転する。
【図面の簡単な説明】
【０００８】
【図１】本考案の一実施形態によるコーヒーメーカーの斜視図である。
【図２】本考案の一実施形態によるコーヒーメーカーの構造図である。
【図３】本考案の一実施形態によるコーヒーメーカーの駆動手段の斜視図である。
【図４】本考案の一実施形態によるコーヒーメーカーの回転手段の分解斜視図である。
【図５】本考案の一実施形態によるコーヒーメーカーの使用状態を示す図である。
【図６】本考案の一実施形態によるコーヒーメーカーの注水作業を示す図である。
【考案を実施するための形態】
【０００９】
（一実施形態）
図１〜図４に示すように、本実施形態によるコーヒーメーカー９は、庇状部１１、上部支持台１２、および下部支持台１３を有する器体１を備える。庇状部１１内には、給水タンク３に接続される注水管２６を前後に移動させることが可能な駆動手段２が設けられる。駆動手段２は、ケース状を呈するベース２１、およびベース２１の前側と後側とを貫通する駆動ねじ２３を備える。ベース２１は、軸方向に対して両側に長孔２２がそれぞれ設けられる。駆動ねじ２３は、一端にモータ２４が接続され、位置決め片２５を貫通する。位置決め片２５の両側には、ロッド２５１がそれぞれ設けられ、二つのロッドはベース２１の長孔２２を貫通する。硬質の注水管２６を位置決め片２５に固定し、モータ２４の正逆回転により、駆動ねじ２３が回転し、位置決め片２５はロッド２５１が貫通するベース２１の長孔２２で前後に移動し、注水管２６を前後に移動させる。位置決め片２５に固定される注水管２６は、軟質管３１により器体１内の加熱機能を有する給水タンク３に連結される。
【００１０】
上部支持台１２は、適切な位置にベアリング４を有する。上部支持台１２には、回転手段５が設けられる。回転手段５は、円管状を呈するホルダ５１を有する。ホルダ５１の底部縁に歯部５１１を設け、伝動ベルト５２をセットする。伝動ベルト５２は、一端が器体１内部のモータ５３に接続される。モータ５３が回転すると、伝動ベルト５２を介してホルダ５１が回転する。
【００１１】
回路基板６は、器体１内部に設けられ、電源及び駆動手段２のモータ２４に接続される。器体１の庇状部１１には、電源スイッチ１４、速度調節スイッチ１５、および温度調節スイッチ１６が設けられる。
【００１２】
コーヒーメーカー９を使用するとき、コーヒー粉を入れたドリッパー７をホルダ５１の上に設置し、電源スイッチ１４を入れ、速度調節スイッチ１５と温度調整スイッチ１６とを設定した後、回転手段５がドリッパー７を回転させる。駆動手段２が注水管２６を前後に移動させることにより、給水タンク３の熱湯は、ドリッパー７の中心から外側に渦を巻くようにドリッパー７のコーヒー粉に均等に注がれる。コーヒーは、下部支持台１３に設置された容器８に流れる。これにより、更に香りがよく、一段とおいしくコーヒーを淹れることができる。
【００１３】
図１と図５とに示すように、コーヒーメーカー９を使用するとき、コーヒー粉を入れたドリッパー７をホルダ５１の上に設置し、電源スイッチ１４を入れた後、速度調節スイッチ１５で駆動手段２の注水管２６の移動速度を調節し、温度調節スイッチ１６で熱湯の温度を調節し、回転手段５がドリッパー７を回転させる。そして、ドリッパー７が回転するとともに、駆動手段２は、設定された速度により注水管２６をドリッパー７の中心から外側に移動させる。給水タンク３の熱湯は、注水管２６を通してドリッパー７の中心から外側に渦を巻くようにドリッパー７のコーヒー粉に均等に注がれ、下部支持台１３に設置された容器８に流れる。これにより、更に香りがよくなり、一段とおいしくコーヒーを淹れることができる。駆動手段２がコーヒーを淹れた後、モータ２４は反転し、注水管２６を中心位置に戻し、次の作業を待機する。
【００１４】
図６に示すように、コーヒーメーカー９を使ってコーヒーを淹れる過程において、ドリッパー７が適切な速度で回転し、注水管２６がドリッパー７の中心位置から外側へ移動し、熱湯がドリッパー７の中心から外側へ渦を巻くようにドリッパー７へ注がれることがわかる。これにより、コーヒー粉に熱湯が均等に注がれ、コーヒーを更に香りがよく、おいしく淹れることができる。従って、従来のコーヒーメーカーの注水位置が固定されることによって影響されるコーヒーの味を改善することができる。
【００１５】
以上より、本考案は、移動可能な注水管に、回転可能なホルダを合わせ、コーヒーメーカーを構成することにより、コーヒー粉に熱湯を均等に注ぐ、香りがよくおいしいコーヒーを淹れることができる。更に操作が簡単で手軽である。
【符号の説明】
【００１６】
１      ・・・器体
１１    ・・・庇状部
１２    ・・・上部支持台
１３    ・・・下部支持台
１４    ・・・電源スイッチ
１５    ・・・速度調節スイッチ
１６    ・・・温度調節スイッチ
２      ・・・駆動手段
２１    ・・・ベース
２２    ・・・長孔
２３    ・・・駆動ねじ
２４    ・・・モータ
２５    ・・・位置決め片
２５１  ・・・ロッド
２６    ・・・注水管
３      ・・・給水タンク
３１    ・・・軟質管
４      ・・・ベアリング
５      ・・・回転手段
５１    ・・・ホルダ
５１１  ・・・歯部
５２    ・・・伝動ベルト
５３    ・・・モータ
６      ・・・回路基板
７      ・・・ドリッパー
８      ・・・容器
９      ・・・コーヒーメーカー
【図１】
0003169268.tif 000003
【図２】
0003169268.tif 000004
【図３】
0003169268.tif 000005
【図４】
0003169268.tif 000006
【図５】
0003169268.tif 000007
【図６】
0003169268.tif 000008